(57)【特許請求の範囲】
【請求項１】
基材とペーパーナプキンとを用いて、基材による装飾体の基地とその基地の表面にペーパーナプキンによる装飾体の下地とを構成する基地下地形成工程と、下地の上にプリザーブド植物を貼り付けるプリザーブド植物貼付工程とを、少なくとも有するプリザーブド植物を用いた装飾体の作製方法であって、
前記基地下地形成工程においては、基材として１００℃以下の高温で変形可能に軟化する樹脂シートを用い、この樹脂シートの表面を基地として、その上にペーパーナプキンを貼り合わせて下地とし、
基地下地形成工程の後に、前記ペーパーナプキンを貼り合わせた前記樹脂シートを装飾体の外形となるカット片にカットするカット工程と、前記カット片を高温水で軟化させ、これを変形させて所定の三次元湾曲形状とし、その後、冷却して形状を安定させる軟化変形工程と、を有することを特徴とするプリザーブド植物を用いた装飾体の作製方法。
【請求項２】
基地下地形成工程においては、ペーパーナプキンとして予めデザインが施されたペーパーナプキンを用い、プリザーブド植物貼付工程においては、前記ペーパーナプキンのデザインを下地デザインとして、その上にプリザーブド植物を貼り付けて、組み合わせデザインを構成することを特徴とする請求項１に記載のプリザーブド植物を用いた装飾体の作製方法。
【請求項３】
基地下地形成工程の終了後、プリザーブド植物貼付工程の前に、ペーパーナプキンによる下地の上に肉盛材を積層して凹凸形状を構成する肉盛工程を有することを特徴とする請求項１又は２に記載のプリザーブド植物を用いた装飾体の作製方法。
【発明の詳細な説明】
【技術分野】
【０００１】
本発明は、プリザーブド処理された花や葉等のプリザーブド植物を用いた装飾体の作製方法に関する。
【背景技術】
【０００２】
近年、植物の生花や生葉等をグリセリン等により、いわゆるプリザーブド処理してなるプリザーブド植物（一般にプリザーブドフラワーと称される）を用いた種々の装飾物が作製され、提供されている。また、それら装飾物の作製方法が提供されている。
【先行技術文献】
【特許文献】
【０００３】
【特許文献１】特開２０１２−１９７５４９号公報
【特許文献２】特開２０１７−３０３１４号公報
【発明の概要】
【発明が解決しようとする課題】
【０００４】
上記特許文献１には、プリザーブドフラワーの花弁１から型抜きをした片を用いて異なる花に成形し、この成形したプリザーブドフラワーを上下から合成樹脂シート５、６でラミネートして、プリザーブドフラワーシート８を製造する技術が開示されている。シート状のプリザーブドフラワーとすることで、プリザーブドフラワーを用いた装飾の用途において、非常に扱い易くなる効果がある。
その一方、得られるシートが小さな花弁からなるシートであり、またシートが立体感のない花弁シートであるので、立体感があり且つ大きな面積のプリザーブドフラワーの装飾品を得るには時間と手間がかなり必要になるという問題がある。
また上記特許文献２には、プリザーブドフラワー２３を金属線材等からなる輪郭体２２の内側に配するようにしてなる装飾画材２０が開示されている。
しかしながら、この装飾画材２０では、構成要素とし輪郭体２２を必ず用意しなければならない問題がある。また装飾画材が輪郭体２２の範囲でしか存在できないので、広がりに欠けるという問題がある。
【０００５】
そこで本発明は上記従来における問題点を解決し、プリザーブド植物を用いた装飾体の作製方法として、より広範囲な装飾用途に使い勝手よく使用でき、良好な装飾性を発揮することができる方法を提供することを課題とする。
【課題を解決するための手段】
【０００６】
上記課題を達成するため、本発明のプリザーブド植物を用いた装飾体の作製方法は、基材とペーパーナプキンとを用いて、基材による装飾体の基地とその基地の表面にペーパーナプキンによる装飾体の下地とを構成する基地下地形成工程と、下地の上にプリザーブド植物を貼り付けるプリザーブド植物貼付工程とを、少なくとも有するプリザーブド植物を用いた装飾体の作製方法であって、
前記基地下地形成工程においては、基材として１００℃以下の高温で変形可能に軟化する樹脂シートを用い、この樹脂シートの表面を基地として、その上にペーパーナプキンを貼り合わせて下地とし、
基地下地形成工程の後に、前記ペーパーナプキンを貼り合わせた前記樹脂シートを装飾体の外形となるカット片にカットするカット工程と、前記カット片を高温水で軟化させ、これを変形させて所定の三次元湾曲形状とし、その後、冷却して形状を安定させる軟化変形工程と、を有することを第１の特徴としている。
また本発明のプリザーブド植物を用いた装飾体の作製方法は、上記第１の特徴に加えて、基地下地形成工程においては、ペーパーナプキンとして予めデザインが施されたペーパーナプキンを用い、プリザーブド植物貼付工程においては、前記ペーパーナプキンのデザインを下地デザインとして、その上にプリザーブド植物を貼り付けて、組み合わせデザインを構成することを第２の特徴としている。
また本発明のプリザーブド植物を用いた装飾体の製作方法は、上記第１又は第２の特徴に加えて、基地下地形成工程の終了後、プリザーブド植物貼付工程の前に、ペーパーナプキンによる下地の上に肉盛材を積層して凹凸形状を構成する肉盛工程を有することを第３の特徴としている。
【発明の効果】
【０００７】
請求項１に記載のプリザーブド植物を用いた装飾体の製作方法によれば、作製方法は基地下地形成工程とプリザーブド植物貼付工程とからなる。基地下地形成工程では、基材とペーパーナプキンとを用いて、基材による装飾体の基地とその基地の表面にペーパーナプキンによる装飾体の下地とを構成する。そしてプリザーブド植物貼付工程では、前記装飾体の下地の上にプリザーブド植物を貼り付ける。
基材による基地の表面にペーパーナプキンによる下地を構成することで、基材の材質等の種類によらず、ペーパーナプキンを下地としてプリザーブド植物を容易、確実に貼り付けることができる。ペーパーナプキンとプリザーブド植物は植物由来であるので、接着し易い。またペーパーナプキンは表面に細かい皺の入った薄い紙であるため、基材の材質やその他の性状にかかわらず貼り合わせ易く、よって様々な基材と装飾片の基地として用いることができる。
加えて、基地下地形成工程においては、基材として１００℃以下の高温で変形可能に軟化する樹脂シートを用い、この樹脂シートの表面を基地として、その上にペーパーナプキンを貼り合わせて下地とし、基地下地形成工程の後に行うカット工程では、前記ペーパーナプキンを貼り合わせた前記樹脂シートを装飾体の外形となるカット片にカットし、その後の変形工程では、前記カット片を高温水で軟化させ、これを変形させて所定の三次元湾曲形状とし、その後、冷却して形状を安定させるようにしているので、
基材として１００℃以下の高温で変形可能に軟化する樹脂シートを用いることで、変形工程において、水道水のような普通の水を沸かした状態で、カット片を手等で容易に変形させることができ、所望の立体形状を細やかに且つ簡単にハンドメイドすることができる。
【０００８】
請求項２に記載のプリザーブド植物を用いた装飾体の製造方法によれば、上記請求項１に記載の構成による作用効果に加えて、ペーパーナプキンとして予めデザインが施されたものを用いているので、プリザーブド植物の貼り付けは、それを貼り付けるべき下地のデザインの色味や色の組み合わせ或いは線模様を参考にして、新たなデザインを作製することができる。またペーパーナプキンのデザインと組み合わせたような新たなデザインを簡単、容易に作製することができる。
【０００９】
請求項３に記載のプリザーブド植物を用いた装飾体の制作方法によれば、上記請求項１又は２に記載の構成による作用効果に加えて、基地下地形成工程の終了後、プリザーブド植物貼付工程の前に、ペーパーナプキンによる下地の上に肉盛材を積層して凹凸形状を構成する肉盛工程を行うことで、扱い易い扁平なプリザーブド植物を用いても、その扁平なプリザーブド植物を肉盛りした凹凸形状の上に貼り付けることで、容易に立体的なデザインからなる装飾体を作製することができる。
【図面の簡単な説明】
【００１０】
【図１】本発明のプリザーブド植物を用いた装飾体の作製方法において参考にする参考作製方法１を説明する図である。
【図２】本発明のプリザーブド植物を用いた装飾体の作製方法において参考にする参考作製方法２を説明する図である。
【図３】本発明のプリザーブド植物を用いた装飾体の作製方法において参考にする参考作製方法３を説明する図である。
【図４】本発明に係るプリザーブド植物を用いた装飾体の作製方法の実施形態を説明する図である。
【発明を実施するための形態】
【００１１】
以下、各図面を参照して、本発明のプリザーブド植物を用いた装飾体の作製方法を説明し、本発明の理解に供する。ただし、以下の説明は特許請求の範囲に記載の本発明の技術的範囲を限定するものではない。
【００１２】
まず図１を参照して、本発明のプリザーブド植物を用いた装飾体の作製方法において参考にする参考作製方法１を説明する。
参考作製方法１に係る装飾体１０は、少なくとも、基材１１とペーパーナプキン１２とプリザーブド植物１３を用いて構成される。
前記基材１１は、装飾体１０の基地１１ａとなる材料である。基材１１としては、アクリル、塩ビ等のプラスチック、ガラス、紙、布、金属、アートフラワー、その他、種々の材料を用いることが可能である。また基材１１の形状はシートの他、種々の平面形状、立体形状のものを用いることができる。また基材１１は実際の製品やそのレプリカであってもよい。
【００１３】
前記ペーパーナプキン１２は、基材１１の基地１１ａの表面に積層されることで、プリザーブド植物１３を取り付けるための下地１２ａとなる。前記積層は、例えば基材１１の上にペーパーナプキン１２を貼り合わせることで行うことができる。
前記プリザーブド植物１３はプリザーブドフラワーと一般に称されているもので、植物の生花や葉をグリセリン等が含まれる処理液に浸け、水分を抜いて作られるものである。本発明では、花や花弁、葉、茎を含む概念としてプリザーブド植物１３としている。
前記ペーパーナプキン１２は、表面に微細な皺が形成された薄い紙で、テーブル回りに使用される場合が多い使い捨ての紙ナプキンとして、テーブルナプキンとも称されるものである。紙の厚みは０．０３〜０．０８ｍｍが好ましく、薄葉紙といえる領域を含んでいる。
テーブルナプキン１２は、その用途として、前記テーブルナプキンの他、造花用材料やその他のクラフト用材料としても使用されているが、ここではペーパーナプキン１２の新たな用途を提供するものでもある。
【００１４】
即ち、ペーパーナプキン１２は表面に微細な皺の入った薄い紙であるので、プラスチック材をはじめとする種々の材料に対して、その表面に容易、確実に貼り合わせることができる。従って普通ではプリザーブド植物１３の貼り付けに適さないようなプラスチック材を基材１１としても、ペーパーナプキン１２を介在させることで、プリザーブド植物１２を容易に貼り付けることができる。
更に表面に微細な皺のある薄い紙であるペーパーナプキン１２を下地１２ａとすることで、種々のプリザーブド植物１３に対しても、同じ植物由来の材料同士として、両者を容易に且つ確実に貼り付けて固定することができる。また表面に種々のコーティングがなされたプリザーブド植物１３であっても、皺の入った表面を有するペーパーナプキン１２を用いることで、両者を確実に貼り付けることができる。
もしペーパーナプキン１２を介在させることなく、基材１１の表面に直接プリザーブド植物１３を貼り付けようとする場合には、樹脂材料を含む多くの種類の材料に対するプリザーブド植物１３の貼り付けが容易でなくなり、装飾体１０が形成できなくなる。
【００１５】
図１を参照して、装飾体１０の参考作製方法１は、先ず基材１１とペーパーナプキン１２とを用意し、基材１１による基地１１ａとその表面にペーパーナプキン１２による下地１２ａを構成する。これを基地下地形成工程（Ａ）とする。
次に、前記ペーパーナプキン１２による下地１２ａの上にプリザーブド植物１３を貼り付ける。これをプリザーブド植物貼付工程（Ｂ）とする。
前記基地下地形成工程（Ａ）では、基材１１とペーパーナプキン１２は何れもシート状のものを用いている。この場合は、シート状の基材１１の上にシート状のペーパーナプキン１２を、例えば貼り付けて、積層することで、基地下地形成工程（Ａ）が完了する。
【００１６】
プリザーブド植物貼付工程（Ｂ）において、プリザーブド植物１３の貼り付けは、単種類のプリザーブド植物１３の他、多種類のプリザーブド植物１３を用いることができる。そしてプリザーブド植物１３の貼り付けは、下地１２ａの全面に、又は部分的に貼り付けるようにしてもよい。また貼り付けは単層の他、多層に重層して貼り付けることができる。
なおプリザーブド植物貼付工程（Ｂ）では、プリザーブド植物１３の貼り付けに加えて、種々の上塗り用絵具で適宜上塗りし、或いはジェッソ等の下塗り用絵具で下塗りすることができる。また他の装飾品を適宜取り付け、或いは貼り付けてもよい。最終的には表面に透明な被覆剤を塗って被覆するようにしてもよい。
【００１７】
前記基地下地形成工程（Ａ）とプリザーブド植物貼付工程（Ｂ）を経て作製されたプリザーブド装飾体１０は、基材１１をカットすることなく、そのままの装飾体１０（１０ａ）とすることができる。
また必要に応じてカット工程（Ｃ）を設けることができる。
このカット工程（Ｃ）では、装飾体１０は、基材１１をペーパーナプキン１２の周縁に沿ってカットした装飾体（１０ｂ）や、もっと小さくカットした装飾体（１０ｃ）とすることができる。更に装飾要素として１つの花に沿ってカットした装飾体（１０ｄ）、１つの花弁に沿ってカットした装飾体（１０ｅ）、１つの葉に沿ってカットした装飾体（１０ｆ）、その他にカットして構成することができる。
【００１８】
次に図２を参照して、本発明のプリザーブド植物を用いた装飾体の作製方法において参考にする参考作製方法２を説明する。
参考作製方法２に係る装飾体２０は、ペーパーナプキン２２として予めデザイン２２ｂが施されたペーパーナプキン２２を用いる点で、前記参考作製方法１の装飾体１０と異なる。デザイン２２ｂについては、自らペーパーナプキン２２に描いて用いることもできるし、既にデザイン２２ｂが描かれたペーパーナプキン２２を購入して使用することもできる。ペーパーナプキン２２のデザインとしては、色、色違い模様、線画、及びそれらの組み合わせが考えられる。
デザイン２２ｂのあるペーパーナプキン２２を用いることで、ペーパーナプキン２２を下地２２ａにしてプリザーブド植物２３を貼り付けてゆく際に、最終的な新たなデザインに向けての貼り付けの方向性の参考にすることができる。よってペーパーナプキン２２の具体的な色味や色の組み合わせ或いは線模様を参照した新たなデザインを構成することができる。勿論、ペーパーナプキン２２とプリザーブド植物２３とによる組み合わせデザインを構成することも可能で、より魅力的なデザインの装飾体を提供することができる。
【００１９】
図２を参照して、参考作製方法２の作製方法は、ペーパーナプキン２２として予めデザイン２２ｂが施されたペーパーナプキン２２を用いる点以外は上記参考作製方法１と同じで、基地下地形成工程（Ａ）、プリザーブド植物貼付工程（Ｂ）を有する。
即ち、先ず基材２１とペーパーナプキン２２とを用意し、基材２１による基地２１ａとその表面にペーパーナプキン２２による下地２２ａを構成する。これを基地下地形成工程（Ａ）とする。次に、前記デザイン２２ｂが描かれたペーパーナプキン２２による下地２２ａの上に全面に、場合によっては部分的にプリザーブド植物２３を貼り付ける。これをプリザーブド植物貼付工程（Ｂ）とする。
プリザーブド植物２３の貼り付けは、創作する装飾体２０のデザインに応じて、ペーパーナプキン２２のデザイン２２ｂを選び、そのデザイン２２ｂを下地として参照しながら、貼り付けてゆくことで、目標とする新たなデザインの装飾体２０を良好に、且つスムーズに作製することができる。
【００２０】
前記基地下地形成工程（Ａ）とプリザーブド植物貼付工程（Ｂ）を経て作製されたプリザーブド装飾体２０は、基材２１をカットすることなく、そのままの装飾体２０（２０ａ）とすることができる。
また上記参考作製方法１の場合と同様に、カット工程（Ｃ）を設けて、ペーパーナプキン２２の周縁に沿ってカットした装飾体２０ｂや、もっと小さくカットした装飾体２０ｃ、更に装飾要素として１つの花に沿ってカットした装飾体２０ｄ、１つの花弁に沿ってカットした装飾体２０ｅ、１つの葉に沿ってカットした装飾体２０ｆ、その他にカットして構成してもよい。
他の作製方法も上記参考作製方法１において既に述べているので、ここでは省略する。
【００２１】
図３を参照して、本発明のプリザーブド植物を用いた装飾体の作製方法において参考にする参考作製方法３を説明する。
この参考作製方法３に係る装飾体３０は、参考作製方法１の装飾体１０や、参考作製方法２の装飾体２０の特徴を残しつつ、更に肉盛材３４を用いて、立体感のある装飾体３０としたものである。
即ち、プリザーブド植物３３の全部若しくは一部を、ペーパーナプキン３２による下地３２ａの上に肉盛材３４を介して積層する構成としている。得られる装飾体３０では、基材３１、ペーパーナプキン３２、肉盛材３４、プリザーブド植物３３の４層から構成されることになる。
肉盛材３４としては、紙粘土やその他の粘土、グルーガン等を用いて積層されるホットメルト接着樹脂、その他の接着樹脂、硬化型の固形糊、また接着剤や糊でなくてもペーパーナプキン３２とその上に貼り付けるプリザーブド植物３３との間に介在した状態で積層することができるものであれば（例えばティッシュ等）、それ自身接着性のないものであっても肉盛材３４とすることが可能である。
【００２２】
肉盛材３４はペーパーナプキン３２を下地３２ａとする表面の全面或いは部分面に施される。肉盛材３４が施され、積層された部分の断面は起伏のある凹凸断面となる。よって肉盛材３４の施された上に貼り付けられたプリザーブド植物３３の表面も起伏のある状態となり、立体感のある装飾体３０となる。
例えばシート状の基材３１の上にシート状のペーパーナプキン３２を積層し、その上にプリザーブド植物３３を貼り付けて積層しても、なかなか立体感のある作品とはならない。
この参考作製方法３の装飾体３０では、プリザーブド植物３３の全部若しくは一部を、ペーパーナプキン３２による下地３２ａの上に肉盛材３４を介して貼り付け、積層する構成としているので、得られる装飾体３０の表面に好ましい立体感のあるデザインを構成して現出させることができる。
【００２３】
図３を参照して、参考作製方法３は、肉盛材３４を積層して凹凸形状を構成する肉盛工程（ＡＢ）を有する点以外は、上記参考作製方法１や参考作製方法２と同じである。
即ち、先ず基材３１とペーパーナプキン３２とを用意し、基材３１による基地３１ａとその表面にペーパーナプキン３２による下地３２ａを構成し、基地下地形成工程（Ａ）とする。
なお、図３の基地下地形成工程（Ａ）では、基地３１と、複数のバラＲが描かれたデザイン３２ｂが施されたペーパーナプキン３２との全体を示した全体斜視図の他、バラＲの部分を大きく拡大して示した拡大斜視図を示す。
基地下地形成工程（Ａ）が完了すると、肉盛工程（ＡＢ）を行う。
【００２４】
肉盛工程（ＡＢ）では、例えば前記描かれたバラＲの部分を対象として、葉Ｒ１の部分に肉盛材３４として、例えばペーパーナプキン３２と同じ植物由来の紙粘土３４ａを用いる。同じ植物由来物として馴染み易く、接着もし易い。紙粘土３４ａは所望の厚みに積層することができる。また積層厚を相違させることにより、葉Ｒ１の重なり具合を表現することができる。また花弁Ｒ２の部分にもそれぞれ紙粘土３４ａを積層し、例えば葉Ｒ１の部分よりも花弁Ｒ２の部分が飛び出した状態とする。即ち、葉Ｒ１や花弁Ｒ２をより立体的となるように肉盛りする。勿論、肉盛材３４を行わない下地３２ａ部分があってもよい。このようにすることで、バラＲとしての立体感のある肉盛りができる。
前記肉盛工程（ＡＢ）が終わると、プリザーブド植物貼付工程（Ｂ）を行う。プリザーブド植物貼付工程（Ｂ）では、前記肉盛りがなされたペーパーナプキン３２上の表面にプリザーブド植物３３を貼り付けていく。プリザーブド植物３３は花弁、葉、その他の植物部分を用い、それらを自在に葉Ｒ１や花弁Ｒ２のところに単層、或いは多層に貼り付ける。勿論、プリザーブド植物３３を貼り付けない部分があってもよい。
【００２５】
プリザーブド植物貼付工程（Ｂ）が終わると、必要に応じて上記参考作製方法１において既述したカット工程（Ｃ）を行うことができる。例えば得られた装飾体３０としてのバラＲに従ってカットし、得られたバラＲの装飾体３０を装飾要素等として用いることができることは勿論である。
なお、プリザーブド植物３３の貼り付けは、肉盛材３４による肉盛りと同時的に行ってもよい。即ち、ペーパーナプキン３２の下地３２ａ上に肉盛材３４を一部肉盛りし、その部分の肉盛りができたら、その上にプリザーブド植物３３を貼り付けて、その部分を完成させるように作業を進める作製方法である。この場合は、肉盛工程（ＡＢ）とプリザーブド植物貼付工程（Ｂ）が同時進行することになる。
【００２６】
図４を参照して、本発明の実施形態に係るプリザーブド植物５３を用いた装飾体５０の作製方法を説明する。
本発明に係る装飾体の作製方法は、上記した参考作製方法１、参考作製方法２、参考作製方法３を参考にして作製工程の一部に取り入れた作製方法である。
この実施形態の作製方法は、参考作製方法１、参考作製方法２、参考作製方法３の特徴を選択的に残しつつ、基材５１そのものを特徴のある材料を用いて作製するようにした作製方法である。
即ち、基材５１は１００℃以下の高温で変形可能に軟化する樹脂シートで構成している。基材５１として１００℃以下の高温で変形可能に軟化する樹脂シートを用いることで、この基材５１を高温水ｎに入れて軟化させ、適宜の形に湾曲させ、種々の好みの立体的に変形させることができる。
【００２７】
前記基材５１の１００℃以下の高温で変形可能に軟化する樹脂シートは、例えば塩化ビニル樹脂シート、ポリオレフィン系樹脂シート等の熱可塑性樹脂で、１００℃以下の高温で柔らかくなり、常温では硬化する樹脂シートを用いる。
また基材５１シートは、０．５ｍｍ〜２．０ｍｍの厚肉シートを用いるのがよい。立体感をもたらすのには、厚肉のものを湾曲変形させるのが好ましい。
本発明の実施形態に係る装飾体の作製方法により、立体的に作製された花弁形状、葉形状等、装飾要素、パーツとしての装飾用片は、他の装飾片と共にコサージュやアクセサリーの一部として用いる場合に適していると言える。
【００２８】
図４を参照して、本発明の実施形態に係る装飾体５０の作製方法は、上記参考作製方法１〜３の何れかの参考作製方法を選択的に残しつつ、カット工程（Ｃ）と軟化変形工程（Ｄ）に特徴を持つ。
即ち、基地下地形成工程（Ａ）においては、基材５１として１００℃以下の高温で変形可能に軟化する樹脂シートを用い、この樹脂シートの表面を基地５１ａとして、その上にペーパーナプキン５２を貼り合わせて下地５２ａとする。ペーパーナプキン５２にデザイン５２ｂを施したものを用いてもよいことは、既述した場合と同様である。
基地下地形成工程（Ａ）が終わると、プリザーブド植物貼付工程（Ｂ）を行う。
プリザーブド植物貼付工程（Ｂ）が終わると、カット工程（Ｃ）を行う。このカット工程（Ｃ）では、基材５１のシートをプリザーブド植物５３が貼り付けられた個々の装飾体５０の外形形状にカットして、プリザーブド植物５３貼り付け済みのカット片５６とする。
【００２９】
なお前記カット工程（Ｃ）は、プリザーブド植物貼付工程（Ｂ）等に先立って行うようにしてもよい。この場合、ペーパーナプキン５２を貼り付けた基材５１シートを、所望の個々の装飾体５０片の外形形状にカットして、プリザーブド植物５３貼り付け前のカット片５６とする。そしてこのカット片５６にプリザーブド植物５３を貼り付けて、プリザーブド植物５３貼り付け済みのカット片５６とする。
軟化変形工程（Ｄ）において、前記カット片５６は高温水ｎ中に浸されることで軟化し、手等によって所望の形状に変形され、冷却されて安定した形状を保つ。これにより所定の三次元湾曲形状の装飾体５０が作製される。
ところで装飾体５０の作製は、基地下地形成工程（Ａ）の後、カット工程によりカット片５６を作製し、このカット片５６を軟化変形工程（Ｄ）により所望の三次元湾曲形状にし、その後、前記プリザーブド植物貼付工程（Ｂ）で、プリザーブド植物５３や絵具、その他の装飾要素を施すようにすることも可能である。
本発明の実施形態に係る装飾体の作製方法では、基材５１として１００℃以下の高温で変形可能に軟化する樹脂シートを用いることで、軟化変形工程（Ｄ）において、水道水のような普通の水を沸かした状態で、装飾体５０を手等で容易に変形させることができ、所望の立体形状を細やかに且つ簡単にハンドメイドすることができる。
【００３０】
上記の実施形態において得られた装飾体５０は、それ自体を装飾要素とすることができる。この場合、装飾体５０に対して、他の装飾要素が組み合わされることで、別の新たな装飾体が創作される。
【産業上の利用可能性】
【００３１】
本発明のプリザーブド植物を用いた装飾体の作製方法は、プリザーブドフラワーを扱う装飾品や装飾品パーツの製造、販売分野や、プリザーブド植物を用いた作品創作に関する各種学校、教育産業の分野における産業上の利用性が高い。
【符号の説明】
【００３２】
１０            装飾体
１０ａ〜１０ｆ  装飾体
１１            基材
１１ａ          基地
１２            ペーパーナプキン
１２ａ          下地
１３            プリザーブド植物
２０            装飾体
２１            基材
２１ａ          基地
２２            ペーパーナプキン
２２ａ          下地
２２ｂ          デザイン
２３            プリザーブド植物
３０            装飾体
３１            基材
３１ａ          基地
３２            ペーパーナプキン
３２ａ          下地
３２ｂ          デザイン
３３            プリザーブド植物
３４            肉盛材
３４ａ          紙粘土
Ｒ              バラ
Ｒ１            葉
Ｒ２            花弁
５０            装飾体
５１            基材
５１ａ          基地
５２            ペーパーナプキン
５２ａ          下地
５２ｂ          デザイン
５３            プリザーブド植物
５６            カット片
ｎ              高温水
（Ａ）          基地下地形成工程
（ＡＢ）        肉盛工程
（Ｂ）          プリザーブド植物貼付工程
（Ｃ）          カット工程
（Ｄ）          軟化変形工程
【要約】
【課題】広範囲な装飾用途に良好な装飾性を発揮させることができるプリザーブド植物を用いた装飾体の作製方法を提供することを課題とする。
【解決手段】基材５１による基地５１ａとペーパーナプキン５２による下地５２ａとを構成する基地下地形成工程（Ａ）と、下地５２ａの上にプリザーブド植物５３を貼り付けるプリザーブド植物貼付工程（Ｂ）とを有し、工程（Ａ）においては、基材５１として１００℃以下の高温で変形可能に軟化する樹脂シートを用い、この表面を基地５１ａとし、その上にペーパーナプキン５２を貼り合わせて下地５２ａとし、前記工程（Ａ）の後に、ペーパーナプキン５２を貼り合わせた樹脂シートをカット片５６にカットするカット工程（Ｃ）と、カット片５６を高温水ｎで軟化、変形させて所定の三次元湾曲形状とし、その後、冷却して形状を安定させる軟化変形工程（Ｄ）とを有する。
【選択図】      図４【図１】
0006807622.tif 000002
【図２】
0006807622.tif 000003
【図３】
0006807622.tif 000004
【図４】
0006807622.tif 000005